(57)【要約】【課題】操作性を犠牲にすることなく高い防水性能を確保したカードコネクタを提供する。【解決手段】カードトレイ５０は、カードを装着するトレイ部５２と、挿込みの向きに貫通した開口５３１を有する蓋部５３とからなるトレイ本体５１を有する。また、このカードトレイ５０は、この開口５３１内に位置するイジェクトピン５４と、防水キャップ５５とを備えている。イジェクトピン５４は、不図示のピン部材により押し込まれてトレイ本体５１に対し挿込みの向きにスライドし、コネクタ本体１０側のイジェクト機構を介してカードトレイ５０を押し出させる。また、防水キャップ５５は、イジェクトピン５４の、コネクタ本体１０側を袋状に覆って蓋部５３に水密に接続されている。そして、この防水キャップ５５は、イジェクトピン５４のスライドに応じて水密性を保ったまま変形する。【選択図】図４
2018014234.tif 000002
【特許請求の範囲】
【請求項１】
カードが装着されるカードトレイと、該カードトレイを受容する受容空間を有し該カードトレイが挿抜自在に挿し込まれるコネクタ本体とを備え、
前記コネクタ本体が、前記カードトレイが挿し込まれる挿込みの向きに押されて該挿込みの向きにスライドするスライド部材を含み、該スライド部材の該挿込みの向きへのスライドにより、前記受容空間に受容されている前記カードトレイを該挿込みの向きとは逆向きに移動させるイジェクト機構を備え、
前記カードトレイが、
カードを装着するトレイ部と、該トレイ部の前記挿込みの向きの後部に位置し、前記スライド部材に対応した位置に該挿込みの向きに貫通した開口を有する蓋部とからなるトレイ本体と、
前記開口内に位置し、外部からの力を受けて前記トレイ本体に対し前記挿込みの向きにスライドし前記スライド部材を該挿込みの向きにスライドさせるイジェクトピンと、
前記イジェクトピンの、前記スライド部材側を袋状に覆って前記蓋部に水密に接続され、前記イジェクトピンのスライドに応じて該水密を保ったまま変形する防水キャップとを有することを特徴とするカードコネクタ。
【請求項２】
前記防水キャップが、蛇腹状をなすことを特徴とする請求項１に記載のカードコネクタ。
【請求項３】
前記カードトレイがさらに、前記開口の内壁面と前記イジェクトピンとの間を塞ぐＯリングを備えたことを特徴とする請求項１又は２に記載のカードコネクタ。
【発明の詳細な説明】
【技術分野】
【０００１】
本発明は、コネクタ本体の受容空間にカードトレイを挿し込むタイプのカードコネクタに関する。
【背景技術】
【０００２】
従来より、上記のタイプのカードコネクタが多用されている。このタイプのカードコネクタの中に、コネクタ本体に受容されているカードトレイを、そのカードトレイに設けられている開口にピン部材を挿し込むことで取り出すタイプのものが存在する。
【０００３】
引用文献１には、このピン部材を挿し込むタイプのカードコネクタの防水構造が提案されている。この引用文献１に提案されている防水構造は、カードトレイの開口内に止水ピンを配置し、その止水ピンと開口内壁との間をＯリングで塞いだ構造のものである。
【先行技術文献】
【特許文献】
【０００４】
【特許文献１】特開２０１５−１０６５５４号公報
【発明の概要】
【発明が解決しようとする課題】
【０００５】
上掲の特許文献１における止水ピンは、カードトレイの取出しにあたり、ピン部材に押されてスライドする。したがって、カードトレイ取出しの操作性を高めるためには、その止水ピンは十分に低い摺動抵抗でスライドする必要がある。ところが、その止水ピンと開口内壁との間にはＯリングが配置されている。このＯリングで信頼性の高い防水性能を確保するには、止水ピンと開口内壁との間がそのＯリングによって十分に強い力で密封されている必要がある。したがって、信頼性の高い防水性能を確保しようとすると、止水ピンのスライドにあたり大きな摺動抵抗が発生し、良好な操作性を確保するのが難しいという問題がある。
【０００６】
本発明は、上記の事情に鑑み、操作性を犠牲にすることなく高い防水性能を確保したカードコネクタを提供することを目的とする。
【課題を解決するための手段】
【０００７】
上記目的を達成する本発明のカードコネクタは、
カードが装着されるカードトレイと、カードトレイを受容する受容空間を有しカードトレイが挿抜自在に挿し込まれるコネクタ本体とを備え、
コネクタ本体が、カードトレイが挿し込まれる挿込みの向きに押されて挿込みの向きにスライドするスライド部材を含み、そのスライド部材の挿込みの向きへのスライドにより、受容空間に受容されているカードトレイを挿込みの向きとは逆向きに移動させるイジェクト機構を備え、
カードトレイが、
カードを装着するトレイ部と、トレイ部の挿込みの向きの後部に位置し、スライド部材に対応した位置に挿込みの向きに貫通した開口を有する蓋部とからなるトレイ本体と、
上記開口内に位置し、外部からの力を受けてトレイ本体に対し挿込みの向きにスライドしてスライド部材を挿込みの向きにスライドさせるイジェクトピンと、
イジェクトピンの、スライド部材側を袋状に覆って上記蓋部に水密に接続され、イジェクトピンのスライドに応じて水密を保ったまま変形する防水キャップとを有することを特徴とする。
【０００８】
本発明のカードコネクタの場合、袋状の防水キャップにより防水性能が確保される。したがってイジェクトピンと開口内壁との間からイジェクトピンの摺動抵抗を増大させる要素を排除することができる。また、この防水キャップとして、例えば蛇腹状の薄いゴム部材など、イジェクトピンのスライドに対し大きな抵抗とならない材料、形状のものを採用することができる。したがって、本発明のカードコネクタによれば、高い防水性能を確保しつつ、カードトレイ取出しの際の良好な操作性も確保することができる。
【０００９】
ここで、本発明のカードコネクタにおいて、防水キャップが、蛇腹状をなすことが好ましい。
【００１０】
蛇腹状の防水キャップとすることにより、その防水キャップを小さい力で変形させることができる。
【００１１】
また、本発明のカードコネクタにおいて、カードトレイがさらに、上記開口の内壁面とイジェクトピンとの間を塞ぐＯリングを備えることが好ましい。
【００１２】
本発明のカードコネクタにおいても、イジェクトピンの周囲を取り巻くＯリングを備えることを否定するものではない。このＯリングを備えると、防水キャップの内側への水の浸入を抑えることができる。ただし、本発明のカードコネクタの場合、防水キャップの内側に水が浸入しても防水性は確保されている。したがって、Ｏリングのみで高い防水性能を確保する必要性がある構造と比べ、摺動抵抗が十分に低いＯリングで十分である。
【発明の効果】
【００１３】
以上の通り、本発明によれば、操作性を犠牲にすることなく高い防水性能を確保したカードコネクタを提供することができる。
【図面の簡単な説明】
【００１４】
【図１】本発明の第１実施形態のカードコネクタの分解斜視図である。
【図２】図１に分解斜視図を示したカードコネクタの、組み立てられた状態を示す斜視図である。
【図３】図１に分解斜視図を示したカードコネクタの、組み立てられた状態を示す斜視図である。
【図４】カードトレイを断面して示した、第１実施形態のカードコネクタの平面図である。
【図５】カードトレイを断面して示した、第２実施形態のカードコネクタの平面図である。
【発明を実施するための形態】
【００１５】
以下、本発明の実施の形態について説明する。
【００１６】
図１は、本発明の第１実施形態のカードコネクタの分解斜視図である。
【００１７】
このカードコネクタ１は、コネクタ本体１０とカードトレイ５０とを備えている。また、コネクタ本体１０は、金属シェル２０と基部３０とに分解される。金属シェル２０は、基部３０に被せられて、その基部３０との間に、カードトレイ５０を受容する受容空間１１を形成する。また、基部３０は、ハウジング３１と、そのハウジング３１に一体成形されたコンタクト３２とを備えている。
【００１８】
一方、カードトレイ５０は、トレイ本体５１を備えている。このトレイ本体５１は、トレイ部５２と蓋部５３とを有する。トレイ本体５１には、ここに示す例では、ナノＳＩＭカード等のカード６０を載せる載置部５２１が２つ形成されていて、２枚のカード６０を載せることができる。各載置部５２１には大きな開口５２１ａが設けられていて、カード６０はその開口５２１ａの両側の載置台５２１ｂの上に載置される。そして、この載置部５２１に載置されたカード６０は、その下面に設けられている、電気的な接続を担う接続パッド（不図示）を下方に露出させた状態となる。カード６０を載せたカードトレイ５０がコネクタ本体１０の受容空間１１に受容されると、カード６０の下面の接続パッドにコネクタ本体１０の基部３０のコンタクト３２が接触して、電気的に接続される。また、トレイ本体５１の両側部には、凹部５２３と、その凹部５２３に隣接した凸部５２４が形成されている。コネクタ本体１０の基部３０には、一対のロック部材３３が備えられている。カードトレイ５０が受容空間１１に受容されると、カードトレイ５０が不用意にはコネクタ本体１１から抜け出ないように、トレイ本体５１の左右の凹部５３２にロック部材３３がそれぞれ入り込む。
【００１９】
また、コネクタ本体１０の基部３０には、スライド部材３４と、回動レバー３５とが備えられている。受容空間１１に受容されているカードトレイ５０の取出しにあたり、スライド部材３４は、矢印Ｆで示す挿込みの向きの後端部３４１が、後述するようにして、挿込みの向きに押されて、その挿込みの向きにスライドする。すると、そのスライド部材３４の挿込みの向きの先端部３４２が回動レバー３５の一端部３５１を挿込みの向きに押す。すると、その回動レバー３５の他端部３５２が、受容空間１１に受容されているカードトレイ５０を、挿込みの向きとは逆向きの取出しの向きに押す。すると、ロック部材３３によるロックが外れて、カードトレイ５０がその取出しの向きに移動する。その後、カードトレイ５０は、手の爪、あるいはピンセット等の治具により、コネクタ本体１０から取り出される。本実施形態では、これらスライド部材３４と回動レバー３５とにより、本発明にいうイジェクト機構の一例が構成されている。
【００２０】
また、カードトレイ５０の、トレイ部５２とともにトレイ本体５１を構成している蓋部５３は、矢印Ｆで示す挿込みの向きの、トレイ部５２の後部に位置している。この蓋部５３は、このカードコネクタ１が搭載されるスマートフォン等の機器の筐体７０（図４参照）の外面の一部を成す。この蓋部５３には、コネクタ本体１０の基部３０に備えられているスライド部材３４に対応した位置に、挿込みの向きに貫通した開口５３１が設けられている。そして、この開口５３１内には、イジェクトピン５４（図４参照）が配置されている。このイジェクトピン５４は、外部のピン部材７１（図４参照）により押されて、トレイ本体５１に対して挿込みの向きにスライドする。そして、そのイジェクトピン５４は、そのスライド部材３４を挿込みの向きにスライドさせる。
【００２１】
さらに、このカードトレイ５０は、防水キャップ５５を備えている。この防水キャップ５５は、イジェクトピン５４の、スライド部材３４側を袋状に覆って、蓋部５３の開口５３１の周りに水密に接続されている。そして、この防水キャップ５５は、イジェクトピン５４のスライドに応じて、水密性を保ったまま変形する。
【００２２】
さらに、この蓋部５３はＯリング５６を備えている。このＯリング５６は、このカードコネクタ１が搭載される機器の筐体７０（図４参照）との間の防水を担っている。
【００２３】
図２，図３は、図１に分解斜視図を示したカードコネクタの、組み立てられた状態を示す斜視図である。ここで、図２は、カードトレイ５０がコネクタ本体１０の受容空間１１に受容された状態を示している。また、図３は、スライド部材３４がイジェクトピン５４により押されて矢印Ｆで示す挿込みの向きにスライドすることによりカードトレイ５０がコネクタ本体１０から少し押し出された状態を示している。
【００２４】
また、図４は、カードトレイを断面して示した、第１実施形態のカードコネクタの平面図である。ここで、図４（Ａ）は、図２に斜視図を示した、カードトレイがコネクタ本体の受容空間１１に受容された状態を示している。また、図４（Ｂ）は、図３に斜視図を示した、カードトレイ５０がコネクタ本体から少し押し出された状態を示している。
【００２５】
本実施形態における防水キャップ５５は、袋形状に形成されるとともに蛇腹形状を有する薄いゴム部材からなる。この防水キャップ５５は、イジェクトピン５４のスライド部材３４側に被せられて、その防水キャップ５５の開口部がトレイ本体５１の蓋部５３の開口５３１の周りに、接着剤あるいはレーザ溶着等により水密に接続している。
【００２６】
防水キャップ５５は、カードトレイ５０がコネクタ本体１０の受容空間１１に受容されているときは、図２，図４（Ａ）に示すように、縮んだ状態となっている。そして、イジェクトピン５４がピン部材７１で挿込みの向きに押し込まれると、水密性を保ったまま図３，図４（Ｂ）に示すように延伸し、スライド部材３４の後端部３４１との間に防水キャップ５５を挟んだままスライド部材３４を挿込みの向きにスライドさせる。
【００２７】
本実施形態によれば、開口５３１の防水は、防水キャップ５５によって高い信頼性をもって確保されている。また、本実施形態によれば、イジェクトピン５４と、そのイジェクトピン５４が配置されている開口５３１の内壁との間に、そのイジェクトピン５４のスライドを妨げる部材等は配置されていない。さらに、本実施形態によれば、防水キャップ５５は、スライド部材３４を押す力を除けば、小さな力で容易に延伸する。したがって、本実施形態によれば、防水性に関し高い信頼性を確保しつつ、良好な操作性が確保されている。
【００２８】
次に、本発明の第２実施形態について説明する。ここでは、第２実施形態について、上述の第１実施形態との相違点のみを取り上げて説明する。
【００２９】
図５は、カードトレイを断面して示した、第２実施形態のカードコネクタの平面図である。ここで、図５（Ａ），（Ｂ）は、第１実施形態における、それぞれ、図４（Ａ），（Ｂ）に対応する図である。すなわち、図５（Ａ）は、カードトレイ５０がコネクタ本体１０の受容空間１１に受容された状態を示している。また、図５（Ｂ）は、カードトレイ５０がコネクタ本体１０から少し押し出された状態を示している。
【００３０】
なお、ここでは、分かり易さのため、上述の第１実施形態と同じ符号で示している。
【００３１】
この第２実施形態では、イジェクトピン５４を取り巻くＯリング５７が備えられてる。このＯリング５７は、イジェクトピン５４が配置されている開口５３１を防水して、防水キャップ５５の内側への水の浸入を防いでいる。ただし、コネクタ本体１０側への水の浸入は防水キャップ５５で完全に防がれている。このため、このＯリング５７による防水性は、信頼度が多少劣っていても十分であり、イジェクトピン５４をスライドさせるときの操作性を損ねるものではない。
【００３２】
このように、本発明は、この第２実施形態のように、防水キャップ５５と併用したときのＯリング５７の使用を妨げるものではない。
【００３３】
なお、ここでは、防水キャップ５５として、蛇腹形状のゴム部材からなる防水キャップを例示したが、本発明にいう防水キャップは、これに限られるものではない。例えば、イジェクトピン５４のスライドのストロークが単純な袋状のゴム部材の伸びで対応可能なレベルのときは防水キャップに蛇腹形状を設ける必要はない。また、この防水キャップは、ゴム部材からなるものである必要はなく、イジェクトピンのコネクタ本体側を袋状に覆って、そのイジェクトピンのスライドに応じて水密性を保ったまま変形する部材であればよい。
【符号の説明】
【００３４】
１  カードコネクタ
１０  コネクタ本体
１１  受容空間
２０  金属シェル
３０  基部
３１  ハウジング
３２  コンタクト
３３  ロック部材
３４  スライド部材
３５  回動レバー
５０  カードトレイ
５１  トレイ本体
５２  トレイ部
５２１  載置部
５２３  凹部
５２４  凸部
５３  蓋部
５３１  開口
５４  イジェクトピン
５５  防水キャップ
５６，５７  Ｏリング
６０  カード
７０  筐体
【図１】
2018014234.tif 000003
【図２】
2018014234.tif 000004
【図３】
2018014234.tif 000005
【図４】
2018014234.tif 000006
【図５】
2018014234.tif 000007